(57)【特許請求の範囲】
【請求項１】
背当て部と股当て部と胸当て部とで袋を形成し、この袋内で幼児を起立状態に保持するとともに、この袋の深さを調節するアジャストファスナーを上記背当て部と上記股当て部との間に設けた子守帯であって、
上記背当て部に上記アジャストファスナー側に延出したアジャストファスナー開防止用のフラップを設け、
上記フラップに第一の係止手段を設けるとともに、上記股当て部に第一の係止手段と係合する第二の係止手段を設け、
上記第二の係止手段と上記アジャストファスナーとの間の距離が、上記フラップの第一の係止手段と上記アジャストファスナーとの間の距離よりも長く形成されて、
上記第一の係止手段と第二の係止手段との係合で、上記フラップが上記アジャストファスナーの少なくとも引き手部を覆うと共に、上記アジャストファスナーと上記第二の係止手段との間で上記股当て部が歪ませられることを特徴とする、アジャストファスナー開防止用フラップ付き子守帯。
【請求項２】
前記フラップが、前記アジャストファスナーの閉時に、少なくともファスナー引き手部を覆うように形成されていることを特徴とする、請求項１記載のアジャストファスナー開防止用フラップ付き子守帯。
【請求項３】
前記アジャストファスナーがロックファスナーで構成され、該ロックファスナーの引き手部を前記フラップで押圧して覆うことにより、ロックファスナーが引き手部にてロック状態に保持されることを特徴とする、請求項１又は２記載のアジャストファスナー開防止用フラップ付き子守帯。
【発明の詳細な説明】
【０００１】
【発明の属する技術分野】
本発明は、保護者が乳幼児を抱っこ又はおんぶして歩行する際に用いるアジャストファスナー付きの子守帯に関し、特にアジャストファスナーまわりの構造に関する。
【０００２】
【従来の技術】
保護者が乳幼児を抱っこするときに用いる子守帯としては、図１１に示すように縦抱きの袋タイプの子守帯１００が一般に用いられている。この縦抱き用の子守帯１００は、乳幼児を起立状態に保持する袋が、背当て部１０１とこの背当て部１０１に連接して乳幼児の臀部を保持する股当て部１０２とこの股当て部１０２と連接して袋状に乳幼児の腹部と胸部を包む胸当て部１０３とで形成されている。
この子守帯１００には、子供の成長にあわせて袋の深さが２段階に調節できるアジャストファスナー付きのものがある。このような袋の深さが調節可能な子守帯１００は、図１１及び図１２に示すように、アジャストファスナー１１０を背当て部１０１と股当て部１０２との間に取り付け、乳幼児が小さいときはアジャストファスナー１１０を閉じて袋の深さを浅くして使用し、成長に伴ってアジャストファスナー１１０を開いて、乳幼児の脇の下から子守帯の袋までの距離を長く（深く）することによって２段階に調節できるようにしている。
このアジャストファスナー１１０は、ファスナー引き手部１１１をバイアス１１２，１１３で押さえ込むことにより、ファスナー引き手部１１１が垂れ下がってアジャストファスナー１１０が容易に開かないように配慮されている。
【０００３】
【発明が解決しようとする課題】
上記のように、アジャストファスナー１１０をバイアス１１２，１１３で上下方向から押さえ込んで、その引き手部１１１の垂れ下がりを防止するようにしているが、このアジャストファスナー１１０の取り付け位置が丁度、股当て部１０２の近傍の、乳幼児の足が出る領域に位置しているため、乳幼児の自重と足の重さによりアジャストファスナーまわりの生地が押し広げられ、アジャストファスナー１１０が自然に開いてしまう場合がある。
【０００４】
また、アジャストファスナー１１０としてロックファスナーを用いても、図１３に示すように、乳幼児が動くことで乳幼児の自重や足の重さなどが原因となって、ファスナー引き手部１１１が垂れ下がり、さらに、乳幼児等の動きによりロックが解除してしまうと、アジャストファスナー１１０が開いてしまうおそれがあった。
【０００５】
そこで、本発明は、上記課題に鑑みて創作されたものであって、乳幼児の自重や足の重さ或いは乳幼児が動くことによりアジャストファスナーが不用意に開くのを防止するアジャストファスナー開防止用フラップ付き子守帯を提供することを目的とする。
【０００６】
【課題を解決するための手段】
上記課題を解決するために、本発明は、背当て部と股当て部と胸当て部とで袋を形成し、この袋内で幼児を起立状態に保持するとともに、この袋の深さを調節するアジャストファスナーを背当て部と股当て部との間に設けた子守帯であって、上記背当て部に上記アジャストファスナー側に延出したアジャストファスナー開防止用のフラップを設け、このフラップに第一の係止手段を設けるとともに、股当て部に第一の係止手段と係合する第二の係止手段を設け、第二の係止手段とアジャストファスナーとの間の距離が、フラップの第一の係止手段とアジャストファスナーとの間の距離よりも長く形成されて、第一の係止手段と第二の係止手段との係合で、フラップがアジャストファスナーの少なくとも引き手部を覆うと共に、アジャストファスナーと第二の係止手段との間で股当て部が歪ませられる、アジャストファスナー開防止用フラップ付き子守帯を提供するものである。以上の構成において、前記フラップは、アジャストファスナーの閉時に、少なくともファスナー引き手部を覆うように形成されている。好ましくは、前記アジャストファスナーがロックファスナーで構成され、該ロックファスナーの引き手部をフラップで押圧して覆うことにより、ロックファスナーが引き手部にてロック状態に保持される。
【０００７】
本発明によれば、アジャストファスナー開防止用フラップがアジャストファスナーを覆って、背当て部と股当て部との間に配置され、アジャストファスナーの閉時に係止手段で係合されているので、幼児の重みなどでファスナーが押し広げられることがない。
【０００８】
【発明の実施の形態】
以下、図面を参照して本発明の実施形態を説明する。
本発明の実施形態に係るアジャストファスナー開防止用フラップ付きの子守帯（以下、単に子守帯と称す）は、アジャストファスナーを備え、乳幼児の足の重さや乳幼児の自重あるいは乳幼児の動きなどが原因でアジャストファスナーが開いてしまうのを防止するようにしたものである。
以下、本発明の実施形態に係る子守帯が、生後１年未満の、主として首が座らない乳児を水平状態に保持するのに使用し得るとともに、首が座った乳児又は幼児（以下、総称して乳幼児という。）を縦抱きに、すなわち起立状態で保持するのに併用し得る、兼用タイプのものに例をとって説明する。
【０００９】
図１及び図２は、本発明の実施形態に係る子守帯１を示す斜視図であり、この図１及び図２に示す子守帯１は、基本的には、乳幼児用ヘッドサポート４と、乳幼児用ヘッドサポート４を上端で保持した子守帯本体５と、子守帯本体５に固定した２本の肩帯部６４ａ，６４ｂと、肩帯部６４ａ，６４ｂの各々の下端に係止バックル６１ａ，６１ｂを介して接続される調節ベルト６５ａ，６５ｂと、を備えている。調節ベルト６５ａ，６５ｂには、その長さを調節する係止機能をもった環具６６ａ，６６ｂが設けられ、環具６６ａ，６６ｂから延びるベルトの先にはウエストバックル６７ａ，６７ｂが設けられている。また、肩帯部６４ａ，６４ｂには、フックメス６３ａ，６３ｂが設けられており、乳幼児用ヘッドサポート４の両端近傍にはフックメス６３ａ，６３ｂに対して係脱可能なフックオス４３ａ，４３ｂが設けられている。ここで、この乳幼児用ヘッドサポート４は、例えば、乳幼児が寝てしまい頭部がふらつくのを防止するためのものである。
【００１０】
上記子守帯本体５は、背当て部５２と、この背当て部５２に連接した股当て部５３と、この股当て部５３と連接して乳幼児の腹部と胸部を包む胸当て部５４とで袋状に構成されている。背当て部５２は、乳幼児の背中から頭部にかけて当たる部分であり、略長円形状で内部に適宜の柔軟性を有する芯材が入っている。この背当て部５２から下方へＵ状の股当て部５３が連接されて袋の底部を形成しており、その両側には乳幼児の臀部を載せて左右の足を両側へ出すための足出し口３５が形成されている。そして、乳幼児の胸に当たる胸当て部５４が略長方形状に形成されて、股当て部５３から前方へ立ち上がって連続している。
これら背当て部５２、股当て部５３、胸当て部５４は綿などの布製によって一体に構成され、それらが連続して袋状の子守帯本体５が構成される。また、背当て部５２と胸当て部５４とは、子守帯本体５の一方の側面で連接しており（図１中、矢印Ａ参照）、それと対向する側面では、図２に示すように互いにスナップ係合するホック８９ｂで開閉自在に係合されるようになっている。なお、図中において、ホック８９ｂと係合するホックの図示を省略している。
【００１１】
なお、背当て部５２の表側（乳幼児に触れない側）の面にはポケット８２が設けられている。ポケット８２の表面には、後述するヘッドキープ９の取り付け時に使用するプラスチックホック８３ａ、８３ｂや面ファスナー８４等が設けられている。また、ポケット８２のフラップ８３の裏面には、面ファスナー８４と係合する面ファスナー８５が設けられ、ヘッドキープ９を使用しない時にこの面ファスナー８４と面ファスナー８５とが係合してフラップ８３でポケット８２を塞ぐようになっている。また、背当て部５２から胸当て部５４にかけての外側に、バックル８７ａ，８７ｂ（図３参照）を備えた安全帯８６ａ，８６ｂを有している。この安全帯８６ａ，８６ｂの長さを調節することによって、乳幼児の胴回りの調節をする。
【００１２】
さて、図３に示すように、背当て部５２とこれに連接する股当て部５３との間には、アジャストファスナー２が取り付けられており、乳幼児の体型又は成長の度合いに応じてアジャストファスナー２を開閉して互いに係合状態を解くことによって子守帯本体５の深さを２段階に調節できるようになっている。このように子守帯本体５の深さを２段階に調節できるよう、背当て部５２と股当て部５３との間に、襠（まち）７が設けられている。この襠７はアジャストファスナー２が閉じられると折り畳まれ、アジャストファスナー２を開くと展開して子守帯本体５を深くするようになっている。図１及び図２は、襠７がアジャストファスナー２を閉じることにより折り畳まれている状態を示した図である。なお、襠７は、図示の例では背当て部５２と股当て部５３を構成する生地と一体に構成されているが、別体の生地を背当て部５２と股当て部５３とに連結して形成し得る。
【００１３】
ここで、図４は本発明の実施形態に係るアジャストファスナーの取付け部近傍を示す図である。この図に示すように、背当て部５２の下端の一部から下方へ垂下してアジャストファスナー２側へアジャストファスナー開防止用フラップ３が延出して形成されている。
このアジャストファスナー開防止用フラップ３は、ファスナー引き手部２ａを引いてアジャストファスナー２を閉じたときに、この閉じた状態でファスナー引き手部２ａを押圧しながら覆うためのものであり、これにより、ファスナー引き手部２ａが垂れ下がってロックが不用意に解除し、その結果ファスナーが開いたりしないようにできる。
上記アジャストファスナー開防止用フラップ３は、このフラップ３の内面と股当て部５３とにそれぞれ固着されたプラスチックホックや面ファスナーなどにより股当て部５３に係止されるようになっている。以下、プラスチックホックで係止する例を説明するが、面ファスナーにより構成した場合も同様である。なお、このアジャストファスナー開防止用フラップ３は、背当て部５２と同様の生地で一体に形成され得る。
【００１４】
図５は本発明の実施形態に係るアジャストファスナー開防止用フラップ３による係合を説明する図であり、アジャストファスナー開防止用フラップ３の裏面に、第一の係止手段としてのプラスチックホック３１が設けられるとともに、このプラスチックホック３１と係止すべき股当て部５３の所定位置に、第二の係止手段としてのプラスチックホック３２が設けられている。
このプラスチックホック３２は、図５に示すように、アジャストファスナー開防止用フラップ３を股当て部５３に押し当ててプラスチックホック３１が衝接する位置からさらに距離が若干離れた奥側（図５において下側）に設けられる。すなわち、股当て部５３のプラスチックホック３２（第二の係止手段）とアジャストファスナー２との間隔Ｌ１は、アジャストファスナー開防止用フラップ３のプラスチックホック３１（第一の係止手段）が衝接する股当て部５３の位置とアジャストファスナー２との間隔Ｌ２に比べて長く形成されている。
【００１５】
このようにして、アジャストファスナー２のファスナー引き手部２ａは、アジャストファスナー開防止用フラップ３に押さえられつつ、外部に露呈しないよう覆い隠される。なお、図４に示すアジャストファスナー開防止用フラップ３は、アジャストファスナー閉時にファスナー引き手部２ａのみを隠すように部分的に延出部を有するよう形成されているが、図６に示すように、アジャストファスナー閉時に、アジャストファスナー２全体を覆うように形成されてもよい。この場合には、図６に示すように、好ましくは二対のプラスチックホック３１，３２が設けられる。なお、アジャストファスナー２は、ロックファスナーで構成されるのが望ましい。
【００１６】
アジャストファスナー２を開状態にするには、先ず係合しているプラスチックホック３１，３２を解除し、次いで、ファスナー引き手部２ａを引くことで、アジャストファスナー２が図７に示すように開かれる。これにより、子守帯本体５の袋が全体として深くなるので、乳幼児の成長に応じた適宜の長さに子守帯を調節することができる。
【００１７】
なお、図８は子守帯本体５の上端で保持される乳幼児用ヘッドサポート４を示しており、図８（Ａ）はヘッドサポートの表側面（すなわち、頭部の触れない外側面）、同（Ｂ）は裏側面（すなわち、頭部が触れる内側面）、同（Ｃ）は図８（Ａ）の乳幼児用ヘッドサポート４を上から見た図である。
このヘッドサポート４は、頭部を支持する中心部４１の左右アーム部４２ａ，４２ｂ両端近傍にフックオス４３ａ，４３ｂを有しており、背当て部５２の挿通部５２１にヘッドサポート４を通して、フックオス４３ａ，４３ｂを肩帯部６４ａ、６４ｂの上部に設けたフックメス６３ａ、６３ｂ（図２、図３参照）に係合させればよい。
【００１８】
ここで、本明細書の冒頭で述べたように、本実施の形態による子守帯は、乳幼児を縦抱きに、すなわち起立状態で保持するのに使用し得るとともに、横抱きに、すなわち水平状態で保持するのに併用する兼用タイプのものであるが、通常、横抱きの場合は、本発明で用いるアジャストファスナー開防止用フラップ３は必要とされない。ただし、アジャストファスナーを閉じた状態の子守帯本体５の袋に乳幼児を保持するのが窮屈なときは、これを開いた状態で使用すれば便宜である。因みに、乳幼児を横抱きする場合は、ヘッドサポート４の代わりに付属のヘッドキープ９を用いる。
このヘッドキープ９は、図９に示すように側面立上がり部９１からアーム部９２ａ，９２ｂが左右に延び、その両端近傍で乳児頭部の触れない側に、子守帯本体５（図２，３参照）のフックメス６３ａ、６３ｂと係合するフックオス９３ａ，９３ｂが設けられている。また、このヘッドキープ９は、乳児が横たわる敷布部９４とこの敷布部９４に重ねたフラップ部９５とを有し、敷布部９４とフラップ部９５を重ねた上部（乳児頭部側）を側面立ち上がり部９１と一体に縫い合わせ、また、その横部の下方と下部は縫い合わせずに自由端とし、全体でポケット状をなしている。このポケット状内部に子守帯本体５（図４参照）の背当て部５２が挿入されることにより、図１０に示すように乳児用ヘッドキープ９が子守帯本体５に取り付けられるようになる。
【００１９】
次に、乳幼児を縦抱きに保持する場合は、子守帯本体５にヘッドサポート４を装着し、調節ベルト６５ａ，６５ｂを調節して子守帯本体５内に乳幼児を入れ、そのサイドのホック８９ａ，８９ｂを留め、バックル８７ａ，８７ｂを留める。その後、安全帯８６の長さを調節し、左右の肩帯部６４ａ、６４ｂを掛けて係止バックル６１ａ、６１ｂを留める。そして、ヘッドサポート４のフックオス４３ａ，４３ｂを肩帯部６４ａ、６４ｂのフックメス６３ａ，６３ｂと係合する。この状態で、乳幼児は起立状態で袋内に入れられて保持される。なお、ここでヘッドサポート４は、必ず使用されるものではない。
【００２０】
上記の如く構成される本発明の実施形態に係る子守帯１のアジャストファスナー開防止用フラップ３の作用について説明する。
図５に示すように、アジャストファスナー開防止用フラップ３のプラスチックホック３１を股当て部５３のプラスチックホック３２に係止させると、前記したように股当て部５３のプラスチックホック３２の取付位置が、アジャストファスナー開防止用フラップ３のプラスチックホック３１が衝接する位置からさらに深い位置に外れて取り付けられているため、股当て部５３のプラスチックホック３２とアジャストファスナー２との間の布地に歪みが生じる。
【００２１】
この状態で子守帯１の袋内に乳幼児を起立状態に収容すると、乳幼児の自重等により背当て部５２と股当て部５３とに張力がはたらくが、プラスチックホック３１，３２で股当て部５３に固着されたアジャストファスナー開防止用フラップ３がその張力を受けるので、アジャストファスナー２に直接この張力が伝わることがない。従って、アジャストファスナー２の引き手部２ａがロック解除されて不用意に開くようなことがない。
また、アジャストファスナー開防止用フラップ３をプラスチックホック３１，３２にて股当て部５３に係止することによって、アジャストファスナー２のファスナー引き手部２ａをファスナー側に押さえ込むことになるので、引き手部２ａがアジャストファスナー開防止用フラップ３内で確実に保持され、下方へ垂れ下がることがない。
【００２２】
したがって、本発明の実施形態に係る子守帯１によれば、乳幼児を縦抱きする場合において、袋に収容された乳幼児の自重などによる全張力（背当て部５２と股当て部５３とを共に反対方向に引っ張る力）を、アジャストファスナー開防止用フラップ３が受けるので、この張力はアジャストファスナー２に伝達されず、アジャストファスナー２が乳幼児の自重等により開いてしまうのを防止することができる。
【００２３】
また、アジャストファスナー開防止用フラップ３が、アジャストファスナー２の閉時に、ファスナー引き手部２ａをファスナーに押さえ込んだ状態を保持するので、ファスナー引き手部２ａの動きが規制され、同様に、アジャストファスナーの開きを防止することができる。さらに、アジャストファスナー２がロックファスナーで構成される場合には、防止用フラップ３がファスナー引き手部２ａをより完全にファスナー側に倒すように押さえ込むので、ファスナー引き手部２ａの動きをより確実に防止することができる。
【００２４】
そして、アジャストファスナー開防止用フラップ３を股当て部５３に係止する際、股当て部５３とアジャストファスナー２との間の布地に歪みが生じるので、乳幼児の自重により生じる張力を、アジャストファスナー２に伝えるのを確実に防止することができる。
なお、股当て部５３のプラスチックホック３２は、アジャストファスナー開防止用フラップ３のプラホック３１が衝接する位置に一致して設けてもよく、この場合においても、防止用フラップ３により乳幼児の自重により生ずる張力をアジャストファスナー２に伝えるのを防止することができる。
【００２５】
上記の説明では、子守帯が乳児用の水平状態の運搬と乳幼児用の起立状態の運搬との両方に使用できるものである場合を例にしたが、本発明のアジャストファスナー開防止用フラップ付き子守帯は、乳幼児を起立状態でのみ収容する縦抱き専用の子守帯に適用することもできることは勿論である。
さらに、上記詳述した以外に、本発明は、発明の趣旨を逸脱しない範囲で様々な形態で実施することができる。
【００２６】
【発明の効果】
以上のように、本発明のアジャストファスナー開防止用フラップ付き子守帯によれば、袋に収容された起立状態の乳幼児の重みで生じる張力を、アジャストファスナー開防止用フラップにて全て受けることになるので、アジャストファスナーへ張力が伝達されず、アジャストファスナーが乳幼児の自重等により開いてしまうのを確実に防止することができる。
【図面の簡単な説明】
【図１】本発明の実施形態に係るアジャストファスナー開防止用フラップ付き子守帯の正面側から見た斜視図である。
【図２】本発明の実施形態に係るアジャストファスナー開防止用フラップ付き子守帯の内面側から見た斜視図である。
【図３】本発明の実施形態に係るアジャストファスナー開防止用フラップ付き子守帯を示す正面図である。
【図４】本発明の実施形態に係るアジャストファスナー開防止用フラップ付き子守帯の要部を示す図である。
【図５】アジャストファスナー開防止用フラップの係止位置の説明図である。
【図６】アジャストファスナー開防止用フラップの他の例を示す図である。
【図７】本発明の実施形態に係るアジャストファスナー開防止用フラップ付き子守帯の、袋を深くした状態の要部を示す図である。
【図８】本発明の実施形態に係るヘッドサポートを示し、（Ａ）は正面図、（Ｂ）は背面図、（Ｃ）は側面図である。
【図９】本発明の実施形態に係るヘッドキープを示す斜視図である。
【図１０】図９のヘッドキープを図３の子守帯本体に装着した状態を示す正面図である。
【図１１】従来の子守帯の使用例を示す斜視図である。
【図１２】従来の子守帯の底面図である。
【図１３】従来の子守帯のアジャストファスナーの取り付けまわりを示す斜視図である。
【符号の説明】
１      アジャストファスナー開防止用フラップ付き子守帯
２      アジャストファスナー
２ａ    ファスナー引き手部
３      アジャストファスナー開防止用フラップ（防止用フラップ）
３１    プラスチックホック（第一の係止手段）
３２    プラスチックホック（第二の係止手段）
３５    足出し口
４      ヘッドサポート
５      子守帯本体
５２    背当て部
５３    股当て部
５４    胸当て部
７      襠
９      ヘッドキープ
【図１】
0004753061.tif 000002
【図２】
0004753061.tif 000003
【図３】
0004753061.tif 000004
【図４】
0004753061.tif 000005
【図５】
0004753061.tif 000006
【図６】
0004753061.tif 000007
【図７】
0004753061.tif 000008
【図８】
0004753061.tif 000009
【図９】
0004753061.tif 000010
【図１０】
0004753061.tif 000011
【図１１】
0004753061.tif 000012
【図１２】
0004753061.tif 000013
【図１３】
0004753061.tif 000014